(57)【要約】  本発明は、浮遊施設、特に船舶（６０）用の船室（７０）であって、少なくとも天井（１０）および壁（２０）によって画定される部屋ユニット（１）と、特に空気、水、データ、電気、照明などを部屋ユニット（１）に供給する働きをする導管（３０）とを備える船室（７０）に関する。本発明によれば、導管（３０）が、部屋ユニット（１）のための補強手段としても同時に働くように部屋ユニット（１）内に延在することが企図される。【選択図】  図２
2015518790.tif 000002
【特許請求の範囲】
【請求項１】
浮遊施設、特に船舶（６０）用の船室（７０）であって、少なくとも天井（１０）および壁（２０）によって画定される部屋ユニット（１）と、特に空気、水、データ、電気、照明などを前記部屋ユニット（１）に供給する働きをする導管（３０）とを備え、前記導管（３０）が、前記部屋ユニット（１）のための補強手段としても同時に働くように前記部屋ユニット（１）内に延在することを特徴とする船室（７０）。
【請求項２】
前記導管（３０）が、前記部屋ユニット（１）の内部（２）から前記導管（３０）に接近可能に前記部屋ユニット（１）内に組み込まれることを特徴とする請求項１に記載の船室（７０）。
【請求項３】
前記導管（３０）が、前記天井（１０）と前記壁（２０）との間の縁部領域（３）内、および／または前記部屋ユニット（１）の前記壁（２０）と床（４）との間の縁部領域（３）内に配置されることを特徴とする請求項１または２に記載の船室（７０）。
【請求項４】
カバー要素（３１）が提供され、前記カバー要素（３１）が、前記部屋ユニット（１）の内部（２）に対して前記導管（３０）を覆うことを特徴とする請求項１〜３のいずれか一項に記載の船室（７０）。
【請求項５】
前記カバー要素（３１）が取外し可能であることを特徴とする請求項４に記載の船室（７０）。
【請求項６】
前記導管（３０）が収容体（３２）を通って延在し、前記収容体（３２）が前記天井（１０）、および／または前記壁（２０）、および／または前記床（４）に固定され、特に、前記収容体（３２）が金属であることを特徴とする請求項１〜５のいずれか一項に記載の船室（７０）。
【請求項７】
前記収容体（３２）が少なくとも１つの区室（３３）を有し、前記区室（３３）内に前記導管（３０）が延在し、特に、互いに分かれた複数の区室（３３）が提供されることを特徴とする請求項６に記載の船室（７０）。
【請求項８】
前記収容体（３２）が、少なくとも１つの固定収容部（３４）を有し、前記固定収容部（３４）に前記壁（２０）および／または前記天井（１０）が配置されることを特徴とする請求項６または７に記載の船室（７０）。
【請求項９】
前記固定収容部（３４）がＵ字形材の形態であることを特徴とする請求項８に記載の船室（７０）。
【請求項１０】
前記区室（３３）内で、前記導管（３０）が中に位置された前記空間（３５）が、前記区室（３３）内部での前記導管（３０）の移動を防止するための材料（３６）で充填されることを特徴とする請求項１〜９のいずれか一項に記載の船室（７０）。
【請求項１１】
前記カバー要素（３１）が、照明要素（５０）、センサ（５１）、拡声器（５２）、ディスプレイ、コンセント、ネットワーク接続、スプリンクラ要素、カメラ、空気出入口（５３）のうち少なくとも１つの要素を有することを特徴とする請求項１〜１０のいずれか一項に記載の船室（７０）。
【請求項１２】
前記天井（１０）および前記壁（２０）が、互いに固定された複数の天井要素（１１）および壁要素（２１）から形成されることを特徴とする請求項１〜１１のいずれか一項に記載の船室（７０）。
【請求項１３】
前記天井要素（１１）が、隣接する天井要素（１１）に実継ぎ接合（５）で固定され、および／または前記壁要素（２１）が、隣接する壁要素（２１）に実継ぎ接合（５）で固定されることを特徴とする請求項１２に記載の船室（７０）。
【請求項１４】
金属フレーム形材（６）を前記部屋ユニット（１）の前記床（４）に固定することができ、前記壁要素（２１）が前記フレーム形材（６）内に保持されることを特徴とする請求項１〜１３のいずれか一項に記載の船室（７０）。
【請求項１５】
複数の船室（７０）を有する船舶（６０）であって、各船室（７０）が、少なくとも天井（１０）および壁（２０）によって画定される部屋ユニット（１）によって形成され、導管（３０）が提供され、前記導管（３０）が、特に空気、水、データ、電気、照明などを前記部屋ユニット（１）に供給する働きをし、前記導管（３０）が、前記部屋ユニット（１）のための補強手段としても同時に働くように前記部屋ユニット（１）内に延在することを特徴とする船舶（６０）。
【請求項１６】
前記船室（７０）の前記床（４）が、船舶の床（４）によって形成され、前記壁（２０）が、床側で、金属フレーム形材（６）、特にＵ字形材（６）内に保持され、前記フレーム形材（６）が、前記船舶の床（４）に固定、特に溶接されることを特徴とする請求項１５に記載の船舶（６０）。
【請求項１７】
前記船室（７０）が、上下に重ねておよび／または横に並べて配置されることを特徴とする請求項１５または１６に記載の船舶（６０）。
【請求項１８】
請求項１〜１４のいずれか一項に記載の船室（７０）を備える、請求項１５〜１７のいずれか一項に記載の船舶（６０）。
【発明の詳細な説明】
【技術分野】
【０００１】
本発明は、浮遊施設、特に船舶用の船室であって、少なくとも天井および壁によって画定される部屋ユニットと、特に空気、水、データ、電気、照明などを部屋ユニットに供給する働きをする導管とを備える船室に関する。
【背景技術】
【０００２】
（特許文献１）に、負荷支持床、天井、および壁要素から構成される船室が開示されている。床は、異なる曲げ強度および弾性を有する複数の層から形成され、船室は、その強度および基本剛性に関して改良された特性を有する。これは、特に、船室の輸送中、および船舶への船室の設置中に非常に重要である。その結果、上述した床の使用によって船室の補強を高めることにより、輸送中の損壊を回避することができる。欠点として、船室の曲げ強度を高めるためのこの特殊な床の使用は、材料および組立ての面で大きなコストがかかることが判明している。
【先行技術文献】
【特許文献】
【０００３】
【特許文献１】独国特許出願公開第１９８  ２８  ５０５  Ａ１号明細書
【発明の概要】
【発明が解決しようとする課題】
【０００４】
本発明の目的は、上述した欠点をなくし、特に、輸送中、および浮遊施設、特に船舶に設置されるときに所要の基本剛性を有する船室を形成し、それにより船室の損壊をほぼ防止することができるようにすることである。
【課題を解決するための手段】
【０００５】
この目的は、請求項１に記載のすべての特徴によって実現される。従属請求項に、有利な変形形態を記載する。
【０００６】
本発明によれば、導管が、部屋ユニットのための補強手段としても同時に働くように部屋ユニット内に延在することが企図される。
【０００７】
本発明によれば、導管は、船室に様々な媒体を供給することができる供給導管である。例えば、供給導管は、空気、水、データ、電気、照明などを船室に供給することができる。本発明によれば、導管が、部屋ユニットを補強する役割も同時に果たすように部屋ユニット内に組み込まれることが企図される。ここで、導管が、部屋ユニットの長さ方向および／または幅方向および／または高さ方向に沿って配置されることが好適であり、これは、船室の基本剛性の増加に大きく寄与する。
【０００８】
本発明を改良するさらなる手段において、導管が、部屋ユニットの内部から導管に接近可能に部屋ユニット内に組み込まれることが企図され得る。部屋ユニット内への導管の組込みは、浮遊施設、特に船舶内の所要の船室構造空間を最適化できる可能性に寄与し、これは、例えば追加のデッキ（同じ船舶寸法に対してより多くの船室）またはより低い高さの船舶をもたらし、それにより船舶の重心をより低くすることができる。その結果、船舶の上側領域内に設置する必要があるアルミニウムがより少なくなる。さらに、このようにすると、空気抵抗を減らすことができ、これにより、低速の船舶の場合でさえ、かなりの燃料を節約することができる。とりわけ導管が船室の外側に配置される従来技術とは異なり、本発明による部屋ユニット内への供給導管の組込みは、船室の基本剛性の増加をもたらし、同時に、主な利点は、部屋ユニットの内部から導管に接近可能としてあることである。船室の設置中、および後の修理作業および／または保守作業中、部屋ユニットの内部から供給導管に接近可能であることが利点となり得ることが判明している。部屋ユニットの外側への供給導管の配置は、特にその領域内で技術者が利用できる構造空間がわずかしかないので、その領域に手が届きにくいという主要な欠点を有する。したがって、供給導管を部屋ユニット内に配置することは、組立てコストまたは修理および保守コストをできるだけ低く抑えることに大きく寄与する。さらなる利点は、部屋ユニット内への供給導管の組込みにより、船室の輸送中、および船室が浮遊施設、特に船舶に設置されるときに供給導管が保護され、したがって、従来技術のように、部屋ユニットの外側に対する衝撃によって供給導管が損傷してしまうことがないことである。
【０００９】
部屋ユニットが、床を有さずに、施設、特に船舶に輸送されることが有利であり得る。これは、部屋ユニットが、天井および関連の壁からのみ形成されることを意味する。片側で開いたこのボックスは、船舶の床に配置され、その後、それに対応して船舶の床に固定される。これは以下にさらに論じる。
【００１０】
また、導管が、天井と壁との間の縁部領域内、および／または部屋ユニットの壁と床との間の縁部領域内に配置されることも企図され得る。このようにして、船室を捩れおよび曲げに対してより強くすることができる。導管が部屋ユニット内に組み込まれるので、部屋ユニットまたは船室の高さを低減することができる。同時に、船室が輸送され、浮遊施設内に導入されるときに生じる衝突をより少なくすることができる。部屋ユニットの内部への導管の組込みにより、さらに、各船室ごとに改良された音響特性を実現することが可能である。導管は、有利にはカバー要素の背後に位置され、カバー要素は、例えば装飾ストリップの形態でよい。カバー要素は、好ましくは、船室の全体的な設計に適合される。これは、例えば、カバー要素またはその表面もしくは材料の色を船室の内部に合わせることができることを意味する。供給導管に接近可能であり、カバー要素は、有利には取外し可能である。例えば、クリップタイプ固定および／または戻り止め手段による固定が考えられる。また、ねじ接続など代替の固定タイプも考えられる。
【００１１】
本発明によれば、導管が収容体を通って延在し、収容体が天井、および／または壁、および／または床に固定され、特に、収容体が金属であることが可能である。例えば、収容体は、供給導管のためのフレーム構造となる押出形材でよい。天井、壁、および床への収容体の固定のために、すべての固定タイプが考えられる。本発明の１つの可能な実施形態では、収容体は、部屋ユニットの内部に位置され、カバー要素を設けられ、カバー要素は、船室内にいる人から供給導管が確実に見えないようにする。本発明のさらなる可能性では、収容体は、天井および壁が固定される負荷支持接続部片を成す。同様に、負荷支持接続部片として働く収容体が壁を船室の床に接続させることが考えられる。収容体は、有利には、船室の剛性の増加に大きく寄与する。
【００１２】
さらに、本発明によれば、収容体が少なくとも１つの区室を有し、区室内に導管が延在し、特に、互いに分かれた複数の区室が提供されることが考えられる。区室は、互いに完全に分かれていることもある。同様に、区室間に接続領域が存在し、それにより区室が所定の領域内で互いに開いていることが企図されることもある。様々な区室を提供する利点は、所定の供給導管をそれぞれの区室内に別々に配設することができることである。例えば、所定の供給導管が同じ区室内に配設されないことが技術的に重要となり得る。ここで、安全面が非常に重要となり得る。例えば、水導管が電気ラインとは別の区室内に配設されることが有利となり得る。
【００１３】
さらに、収容体が少なくとも１つの固定収容部を有し、固定収容部に壁および／または天井が配置されることが考えられる。ここで、固定収容部は、収容体と一体構成要素を形成し得る。ここで、固定収容部は、収容体に壁および／または天井を確実に保持する働きをする。ここで、本発明の１つの可能な実施形態では、固定収容部内に壁および／または天井が嵌合係止で保持されることが考えられる。さらに、固定収容部内に壁および／または天井が嵌合係止で保持されることが考えられる。収容体の１つの可能な実施形態では、固定収容部は、例えばＵ字形材の形態であり、そこに壁および／または天井が確実に保持される。
【００１４】
区室内部での導管の移動を防止するために、本発明によれば、導管が中に位置される区室内の空間が、ある材料で充填されることが企図され得る。ある種のフィラー材料として働く材料が区室内に導入され、さらなる機能を受け持つこともある。特に、このフィラー材料は、防音材の働きをすることがある。フィラー材料は、好ましくは区室内に位置され、好ましくは導管をそれらの所望の位置で保持し、それにより、例えば導管と収容体材料との接触時に発生し得る接触音を防止することができる。代替としておよび／または追加として、本発明はまた、収容体内部で導管がそれらの位置をプラスチックケーブルタイによって固定される可能性も含む。
【００１５】
有利には、カバー要素は、照明要素、センサ、拡声器、ディスプレイ、コンセント、ネットワーク接続、スプリンクラ要素、カメラ、空気出入口のうち少なくとも１つの要素を有し得る。照明要素として、例えば、部屋ユニットの内部を照明する働きをし得るＬＥＤを使用してもよい。代替としておよび／または追加として、非常灯をカバー要素に提供することができ、非常灯が、供給導管を通してエネルギーを受け取る。センサに関しては、例えば人感センサをカバー要素に提供することが可能であり、船室内部で所定の移動が感知されたときにのみ照明を提供する。
【００１６】
有利には、天井および壁が、互いに固定された複数の天井要素および壁要素から形成される。天井要素および壁要素は、例えば絶縁材料から形成され得る。同様に、天井要素および壁要素の材料が、特に火災時にも適切な強度を有することが有利である。さらに、天井要素および壁要素の材料は、高い不浸透性および低い熱伝導性を有し得る。
【００１７】
天井要素が、隣接する天井要素に実継ぎ接合で固定され、および／または壁要素が、隣接する壁要素に実継ぎ接合で固定されることによって、組立ての容易性を高めることができる。実継ぎ接合は、さらに、摩擦係止および／または嵌合係止および／または接着接続によって補助され得る。例えば、さらに、実継ぎ接合の領域内のねじ接続が、個々の天井要素および壁要素の確実な相互固定を保証することができる。天井要素および／または壁要素の材料は、有利には、薄いシートメタルによって取り囲まれる。天井要素および壁要素の材料はまた、剛性のミネラルウールの形態でもよい。
【００１８】
本発明の１つの可能な実施形態では、金属フレーム形材を部屋ユニットの床に固定することができ、壁要素がフレーム形材内に保持されることが可能であり得る。フレーム形材は、例えばＵ字形材の形態であり、フレーム形材内に壁要素を確実に固定することができる。さらに、フレーム形材は、船舶の床に溶接することができ、それにより、船室は、船舶内部でその所定の位置に確実に保持される。
【００１９】
上述した目的は、さらに、従属請求項１５によって実現される。従属請求項に、有利な実施形態を記載する。
【００２０】
本発明によれば、複数の船室を有する船舶であって、各船室が、少なくとも天井および壁によって画定される部屋ユニットによって形成され、特に空気、水、データ、電気、照明などを部屋ユニットに供給する働きをする導管が提供される船舶が提供される。さらに、導管が、部屋ユニットのための補強手段としても同時に働くように部屋ユニット内に延在する。
【００２１】
本発明の１つの可能な実施形態では、船室の床を、船舶の床によって形成することができ、壁が、床側で、金属フレーム形材、特にＵ字形材内に保持され、フレーム形材が、船舶の床に固定、特に溶接される。
【００２２】
有利には、船舶内で、船室を上下に重ねておよび／または横に並べて配置することができる。各船室を補強する働きをする本発明による導管により、本発明による船室は、上下に重ねて配置することができる。ここで、上側の船室の床は、同時に下側の船室の天井となり得る。このようにして、船舶の構造高さの低減を実現することができる。同様に、追加の船舶デッキを実現することも可能である。さらに、各船舶デッキの床領域を一体となって画定する必要な金属フレーム形材がより少ないので、船舶の重量をかなり低減することができる。
【００２３】
本発明のさらなる利点、特徴、および詳細は、図面を参照して本発明を複数の例示的実施形態に関して説明する以下の記述から明らかになろう。ここで、特許請求の範囲および本明細書で述べる特徴は、個別に、または任意の所望の組合せで、本発明の本質的な特徴となり得る。
【図面の簡単な説明】
【００２４】
【図１】天井および複数の壁から構成された船室の概略図である。
【図２】天井領域に供給導管を備え付けられた船室の可能な例示的実施形態を示す図である。
【図３】天井領域と床領域の両方に供給導管を形成された船室のさらなる例示的実施形態を示す図である。
【図４】船舶の床に船室の壁要素を固定するための可能な例示的実施形態を示す図である。
【図５】互いに隣接して配置された２つの壁要素に沿った断面図である。
【図６】船室の領域内での供給導管の可能な配置の例示的実施形態を示す図である。
【図７ａ】船室内での供給導管の配置に関するさらなる例示的実施形態を示す図である。
【図７ｂ】船室内での供給導管の配置に関するさらなる例示的実施形態を示す図である。
【図７ｃ】船室内での供給導管の配置に関する追加の例を示す図である。
【図８】船室の領域内での供給導管の配置に関するさらなる例を示す図である。
【図９】複数の船室を備え付けられた船舶の概略図である。
【図１０】船舶内での船室の可能な配置の概略図である。
【発明を実施するための形態】
【００２５】
図１は、図９による船舶６０に設置することができる船室７０を示す。図９で見ることができるように、船舶６０は複数の船室７０を有し、船室７０は異なる高さ（デッキ）に位置される。各船室７０には供給導管３０が備え付けられ、それにより、例えば電気、照明、および（空気調和システムとしての）空気が船室７０内の各乗客に利用可能になる。船室７０から供給導管３０を通して排水を排出することが可能であることも同様に考えられる。同様に、乗客は、供給導管３０を介して聴覚情報を受信することもできる。さらに、導管３０によって、電子データを受信および／または交換することができるように船室７０内のユーザにネットワーク接続を提供することもできる。したがって、任意の形態の情報技術を導管３０内に組み込むことも同様に可能である。
【００２６】
図１に示されるように、船室は部屋ユニット１を構成し、部屋ユニット１は、天井１０と、複数の壁２０とから構成される。例えば、ウェットルームを船室７０内に組み込むことができ、さらに出入口ドアおよび／または窓穴が提供されることもある。
【００２７】
図２および図３は、導管３０が、天井１０と壁２０との間の縁部領域３内、および／または部屋ユニット１の壁２０と床４との間の縁部領域３内に延在することができる様子を概略的に示す。導管３０が部屋ユニット１内に組み込まれることによって、船室７０の高さを低くすることができ、それにより、全体として船舶内の船室の数を増加させることができ、船舶の利益性をかなり高めることができる。
【００２８】
さらに、部屋ユニット１の長手方向に沿った供給導管３０の配置は、船室７０を捩れおよび曲げに対してより強くするという効果を有し、これは、船室７０の輸送中、および船室７０がそれぞれの船舶デッキに設置されるときに大きな利点となる。
【００２９】
図１による例示的実施形態では、船室７０は個別の床を有さず、したがって、４つの壁２０と１つの天井１０とによって形成される部屋ユニット１は、床側で開いている。片側で開いたこのボックス１は、船舶の床に配置され、例えば図４に従って床４に固定される。この例示的実施形態では、フレーム形材６が床４に提供され、このフレーム形材が壁２０を確実に保持する。フレーム形材６は、図４によれば、例えばＵ字形材の形態である。それに対応して、Ｕ字形材６の幾何学的設計は壁２０の寸法に適合され、それにより、壁２０は、Ｕ字形材６内に嵌合係止で保持される。Ｕ字形材６は、船舶の床４に溶接され、それにより、船舶デッキへの船室７０の確実な固定が保証される。
【００３０】
さらに図１に示されるように、天井１０および壁２０は、複数の天井要素１１と壁要素２１から形成され、これらの天井要素１１、壁要素２１は、図５によれば、実継ぎ接合５によって互いに固定される。各天井要素１１および壁要素２１は、薄いシートメタル１２によって取り囲まれた所定の内部材料から構成される。内部材料は、好ましくは剛性であり、すべての火災安全性要件を満たす。同様に、内部材料は、有利には絶縁効果を有することがあり、代替としておよび／または追加として防音機能を果たすこともある。パネルと呼ぶこともある個々の天井要素１１および壁要素２１は、さらに、実継ぎ接合５の領域内で互いにねじ留めされてもよい。シートメタル１２の厚さは、例えば１ｍｍ未満でよい。
【００３１】
図６〜図８は、導管３０が部屋ユニット１の内部２から見えないように、導管３０にカバー要素３１を備え付けることができる様子を例として示す。ここで、カバー要素３１の様々な幾何学的形状が考えられ、これらは図７ａ〜図７ｃにさらに示される。図６および図８では、カバー要素は、壁２０に対して、および天井１０に対して４５°で配置される。代替として、図７ａによれば、カバー要素３１は円弧状でよい。カバー要素３１の幾何形状に関するさらなる変形形態が図７ｂおよび図７ｃに示されている。
【００３２】
図６〜図８によるカバー要素３１は、有利には取外し可能であり、したがって、部屋ユニット１の内部２から供給導管３０に接近可能である。これにより、技術者が、船室７０の内部２から導管３０に対して修理作業または保守作業を行うことがかなり容易となる。カバー要素３１が、単純な接続手段によって導管３０の領域内に取外し可能に固定される場合、設置の容易性がさらに高められる。カバー要素３１が、戻り止め接続および／またはクリップタイプ接続によって導管３０に配置されることが有利である。図６および図８に概略的に示されるように、導管３０は、金属製の収容体３２を通って延在する。図６によれば、収容体３２は金属フレーム７に固定され、それと同時に、壁２０および天井１０はフレーム７に確実に固定される。一方の側で、フレーム７はＵ字形材６を有し、Ｕ字形材６内に壁２０が嵌合係止で保持される。他方の側で、フレーム７は支持面を有し、天井１０がそこに接して支持される。さらに、壁２０および天井１０は、摩擦係止および／または嵌合係止および／または接着固定手段によってフレーム７に固定することができる。
【００３３】
収容体は区室３３を有し、区室３３内に様々な導管３０が延在し、これらの導管３０は、例えば空気、水、データ、電気、照明などを船室に供給する働きをすることができる。例として、照明要素５０、センサ５１、および拡声器５２がカバー要素３１に配置されることが示される。センサ５１は、照明要素５０に結合された人感センサである。照明要素５０は、船室内で所定の移動が感知されたときにのみ作動される。
【００３４】
図８は、収容体３２のさらなる例示的実施形態を示し、収容体３２は、２つの区室３３．１、３３．２を有し、各区室を通って様々な供給導管３０が延在する。さらに、収容体３２は、２つの固定収容部３４を有し、固定収容部３４に壁２０および天井１０が固定される。図示される例示的実施形態では、固定収容部３４は、Ｕ字形材６の形態であり、そこに天井１０および壁２０がそれぞれ嵌合係止で確実に保持される。
【００３５】
図６および図８によれば、導管３０の間の空間３５は、有利には、材料３６で充填することができる。このようにして、例えば導管３０と金属製の収容体３２との接触により発生される接触音を防止することができる。
【００３６】
また、図８によるカバー要素３１内には、照明要素５０、センサ５１、拡声器５２、および空気出入口５３など様々な要素が組み込まれる。
【００３７】
図１０は、船舶内部の船室７０の可能な配置のさらなる代替形態を示す。各船室は、様々な変形形態で図１〜図８を参照して既に述べたような導管３０を、縁部領域３内に補強手段として有する。また、当然、図１〜図８に示される導管の可能な実施形態を図１０でも使用することができる。しかし、図１０は、船室７０を上下に重ねて配置することによって、船舶の構造高さをかなり低減することができることを示す。図１０は、船室７０のダブルデッキ構成を示し、２つのフレーム形材６が提供され、これらが、上下でダブルデッキ構成を画定する。下側船室７０の天井１０が、同時に上側船室７０の床を成す。このようにして、船舶の構造高さをかなり低減することができる。
【符号の説明】
【００３８】
１  部屋ユニット
２  １の内部
３  縁部領域
４  床
５  実継ぎ接合
６  フレーム形材、Ｕ字形材
７  フレーム
１０  天井
１１  天井要素
１２  シートメタル
２０  壁
２１  壁要素
２２  シートメタル
３０  導管
３１  カバー要素
３２  収容体
３３  区室
３３．１  区室
３３．２  区室
３４  固定収容部
３５  ３６のための空間
３６  材料、フェルト
５０  照明要素
５１  センサ
５２  拡声器
５３  空気出入口
６０  船舶
７０  船室
【図１】
2015518790.tif 000003
【図２】
2015518790.tif 000004
【図３】
2015518790.tif 000005
【図４】
2015518790.tif 000006
【図５】
2015518790.tif 000007
【図６】
2015518790.tif 000008
【図７ａ】
2015518790.tif 000009
【図７ｂ】
2015518790.tif 000010
【図７ｃ】
2015518790.tif 000011
【図８】
2015518790.tif 000012
【図９】
2015518790.tif 000013
【図１０】
2015518790.tif 000014
【国際調査報告】
2015518790.tif 000015
2015518790.tif 000016
2015518790.tif 000017
2015518790.tif 000018